(57)【要約】      （修正有）【課題】小物に留まらず、中物をも手で持たずに済むようにすることができるスーツケース用カバーを提供する。【解決手段】スーツケース用カバー２０は、正面部に、左右に延びるジッパー４０を備え、ジッパーを開口とする袋状のポケット４６を正面部の裏面に備え、ポケット内に、ハンガーストラップ４７を備える。ジッパーを開閉することで、ポケットに小物５４を入れることができ、随時取り出すことができる。ポケットに入れにくい中物５５、例えば長い新聞紙やボトルは、取っ手５６が付いた小袋５７に入れ、ハンガーストラップ４７を引き出し、フック４９に取っ手５６を掛ける。小物に留まらず、中物をも手で持たずに済むようにすることができる。【選択図】図５
0003208594.tif 000002
【実用新案登録請求の範囲】
【請求項１】
箱形のスーツケースに被せるスーツケース用カバーであって、
前記スーツケースの上面を覆う上面部と、前記スーツケースの正面を覆う正面部と、前記スーツケースの背面を覆う背面部と、前記スーツケースの２つの側面を各々覆う２つの側面部とを有し、
前記正面部に、左右に延びるジッパー歯列と、このジッパー歯列に沿って移動し前記ジッパー歯列を噛み合い状態／非噛み合い状態にするスライダーとを有するジッパーを備え、
このジッパーを開口とする袋状のポケットを前記正面部の裏面に備え、
前記ポケット内に、ハンガーストラップを備え、このハンガーストラップの一部は、前記ジッパーを介して外へ引き出し可能とされ、外へ引き出された前記ハンガーストラップに小袋を吊すことができるようにしたことを特徴とするスーツケース用カバー。
【請求項２】
前記ハンガーストラップは、帯又は紐状のストラップと、このストラップの先端に設けられたフックとからなることを特徴とする請求項１記載のスーツケース用カバー。
【請求項３】
前記ハンガーストラップは、左右に延びる前記ジッパー歯例のほぼ中央に設けられ、１条の前記ジッパー歯列に左スライダーと右スライダーを備え、引き出された前記ハンガーストラップを前記左右スライダーで挟むようにしたことを特徴とする請求項１又は請求項２記載のスーツケース用カバー。
【請求項４】
前記ハンガーストラップは、左右に延びる前記ジッパー歯例の一端に設けられていることを特徴とする請求項１又は請求項２記載のスーツケース用カバー。
【請求項５】
前記上面部に、又は前記上面部から前記正面部にかけて、ハンドルを通す開口部が設けられ、この開口部が開口補強材で補強され、この開口補強材から前記ハンガーストラップ近傍まで連結材が渡されていることを特徴とする請求項３又は請求項４記載のスーツケース用カバー。
【請求項６】
前記ジッパーは、リバーシブルジッパーであって、裏表反転した前記ポケットに前記上面部と、前記正面部と、前記背面部と、前記２つの側面部とを、詰めことができるようにしたことを特徴とする請求項１〜５のいずれか１項記載のスーツケース用カバー。
【請求項７】
前記正面部の下端から延びる第１帯部と、前記背面部の下端から延びる第２帯部とを有し、
前記第１帯部に、スプリングホックを構成するホック雌パーツとホック雄パーツとの一方、及び第１面ファスナーを有し、
前記第２帯部に、前記ホック雌パーツと前記ホック雄パーツとの他方、及び前記第１面ファスナーに貼り付く第２面ファスナーを有していることを特徴とする請求項１〜６のいずれか１項記載のスーツケース用カバー。
【請求項８】
前記第１帯部と前記第２帯部の少なくとも一方は、伸縮性のある生地で作られていることを特徴とする請求項１〜７のいずれか１項記載のスーツケース用カバー。
【請求項９】
前記上面部、前記正面部、前記背面部、前記２つの側面部、前記第１帯部及び前記第２帯部の全てが、伸縮性のある生地で作られていることを特徴とする請求項１〜８のいずれか１項記載のスーツケース用カバー。
【請求項１０】
前記ホック雌パーツは、前記第１帯部に複数個設けられ、前記ホック雄パーツも、前記第２帯部に複数個設けられていることを特徴とする請求項１〜９のいずれか１項記載のスーツケース用カバー。
【考案の詳細な説明】
【技術分野】
【０００１】
本考案は、スーツケースに被せるカバーに関する。
【背景技術】
【０００２】
旅行の多様化に伴って、箱形のスーツケースが盛んに使用されるようになってきた。スーツケースの外面に傷が付くことは好ましくない。傷対策の一つとしてスーツケース用カバーが提案されてきた（例えば、特許文献１（図１、図２）参照）。
【０００３】
特許文献１の技術を、次図で説明する。
図１１（ａ）に示すように、スーツケース１００に対応するスーツケース用カバー１１０を準備する。スーツケース用カバー１１０は、上面部１１１と、正面部１１２と、背面部１１３と、側面部１１４と、側面部１１５との５面からなる袋であり、底面が開放されている。正面部１１２の下辺中央から帯１１６が下方へ延ばされ、帯１１６の下部に横長の面ファスナー１１７が備えられている。同様に、背面部１１３の下辺中央から帯１１８が下方へ延ばされ、帯１１８の下部に横長の面ファスナー１１９が備えられている。
【０００４】
スーツケース１００に、上からスーツケース用カバー１１０を被せ、被せた後に、帯１１６、１１８をスーツケース１００の底面に沿わせるようにし、その上で面ファスナー１１９に面ファスナー１１７を貼り合わせる。
図１１（ｂ）に、被せた後のスーツケース用カバー１１０が示されている。スーツケース１００は全体的にスーツケース用カバー１１０で覆われ、傷付きなどが回避される。
【０００５】
ところで、空港内や駅舎内等で、スーツケース１００を移動する際に、飴やガムや新聞や小冊子（以下、物と記す。）を購入することがあり、物は小袋（取っ手付きポリエチレン袋（ポリ袋）、取っ手付きビニール袋など）に入れた形態で、持ち歩くことになる。
一方の手でスーツケース１００を引き、他方の手で小袋を持つと両手が塞がる。移動の際に、他方の手が空いていることが望まれる。
この要望に応える構造のスーツケース用カバー（レインカバー）が提案されている（例えば、特許文献２（図２）参照）。
【０００６】
特許文献２の技術を、次図で説明する。
図１２に示すように、レインカバー１２０は、上面部１２１と、正面部１２２と、背面部１２３と、側面部１２４と、側面部１２５との５面からなる袋であり、底面が開放されている。正面部１２２に、袋状のポケット１２６を備えている。このポケット１２６は上部にジッパー１２７を備えている。このジッパー１２７を開閉しつつ、ポケット１２６に小物を出し入れすることができる。
【０００７】
ポケット１２６に、飴やガムなどの小物を入れることができて便利である。
ただし、ポケット１２６に収まらないような大きさのもの（以下、中物と記す。）、例えばボトルや新聞紙などは、取っ手付きポリ袋などの小袋に入れて手で持つしかない。これでは、両手が塞がってしまい、ポケット１２６を設けたことによる効果が半減する。
効果の半減を防止するために、小物に留まらず、中物をも手で持たずに済むようにしたい。
【先行技術文献】
【特許文献】
【０００８】
【特許文献１】特開平７−３０８２１７号公報
【特許文献２】実用新案登録第３１８７３６６号公報
【考案の概要】
【考案が解決しようとする課題】
【０００９】
本考案は、小物に留まらず、中物をも手で持たずに済むようにすることができるスーツケース用カバーを提供することを課題とする。
【課題を解決するための手段】
【００１０】
請求項１に係る考案は、箱形のスーツケースに被せるスーツケース用カバーであって、
前記スーツケースの上面を覆う上面部と、前記スーツケースの正面を覆う正面部と、前記スーツケースの背面を覆う背面部と、前記スーツケースの２つの側面を各々覆う２つの側面部とを有し、
前記正面部に、左右に延びるジッパー歯列と、このジッパー歯列に沿って移動し前記ジッパー歯列を噛み合い状態／非噛み合い状態にするスライダーとを有するジッパーを備え、
このジッパーを開口とする袋状のポケットを前記正面部の裏面に備え、
前記ポケット内に、ハンガーストラップを備え、このハンガーストラップの一部は、前記ジッパーを介して外へ引き出し可能とされ、外へ引き出された前記ハンガーストラップに小袋を吊すことができるようにしたことを特徴とする。
【００１１】
請求項２に係る考案では、ハンガーストラップは、帯又は紐状のストラップと、このストラップの先端に設けられたフックとからなることを特徴とする。
【００１２】
請求項３に係る考案では、ハンガーストラップは、左右に延びるジッパー歯例のほぼ中央に設けられ、１条のジッパー歯列に左スライダーと右スライダーを備え、引き出されたハンガーストラップを左右スライダーで挟むようにしたことを特徴とする。
【００１３】
請求項４に係る考案では、ハンガーストラップは、左右に延びるジッパー歯例の一端に設けられていることを特徴とする。
【００１４】
請求項５に係る考案では、上面部に、又は上面部から正面部にかけて、ハンドルを通す開口部が設けられ、この開口部が開口補強材で補強され、この開口補強材からハンガーストラップ近傍まで連結材が渡されていることを特徴とする。
【００１５】
請求項６に係る考案は、ジッパーは、リバーシブルジッパーであって、裏表反転したポケットに上面部と、正面部と、背面部と、２つの側面部とを詰めことができるようにしたことを特徴とする。
【００１６】
請求項７に係る考案は、正面部の下端から延びる第１帯部と、背面部の下端から延びる第２帯部とを有し、
第１帯部に、スプリングホックを構成するホック雌パーツとホック雄パーツとの一方、及び第１面ファスナーを有し、
第２帯部に、ホック雌パーツとホック雄パーツとの他方、及び第１面ファスナーに貼り付く第２面ファスナーを有していることを特徴とする。
【００１７】
請求項８に係る考案では、第１帯部と第２帯部の少なくとも一方は、伸縮性のある生地で作られていることを特徴とする。
【００１８】
請求項９に係る考案では、上面部、正面部、背面部、２つの側面部、第１帯部及び第２帯部の全てが、伸縮性のある生地で作られていることを特徴とする。
【００１９】
請求項１０に係る考案では、ホック雌パーツは、第１帯部に複数個設けられ、ホック雄パーツも、第２帯部に複数個設けられていることを特徴とする。
【考案の効果】
【００２０】
請求項１に係る考案では、スーツケース用カバーに、袋状のポケット及び一部を外へ引き出すことができるハンガーストラップを備えている。小物はポケットに収納し、中物は小袋に入れた状態でハンガーストラップに吊すことができる。
よって、本考案によれば、小物に留まらず、中物をも手で持たずに済むスーツケース用カバーが提供される。
なお、ハンガーストラップは、使わないときはポケットに収納するため、スーツケース用カバーの外観性が低下する心配はない。
【００２１】
請求項２に係る考案では、ハンガーストラップは、フックを備えているので、このフックに小袋の取っ手を簡単に掛けることができる。
【００２２】
請求項３に係る考案では、１条のジッパー歯列に左スライダーと右スライダーを備えているので、スライダーの移動距離が半分で済み、素早くスライダーを開放限位置又は閉じ位置に移動することができる。引き出されたハンガーストラップがジッパー歯列の中央にあるため、対称性が保て、外観性が高まる。
【００２３】
請求項４に係る考案では、ハンガーストラップは、ジッパー歯例の一端に設けられている。スライダーが一個で済むため、安価なジッパーが採用できる。
【００２４】
請求項５に係る考案では、ハンドルを通す開口部が設けられ、この開口部が開口補強材で補強され、この開口補強材からハンガーストラップ近傍まで連結材が渡されている。
ハンガーストラップが、開口補強材に繋がっているため、耐久性が高められ、より重い物（中物）を吊すことができる。
【００２５】
請求項６に係る考案は、ジッパーは、リバーシブルジッパーであって、裏表反転したポケットに上面部と、正面部と、背面部と、２つの側面部とを詰めことができる。いわゆる、ポシェットの形になるため、スーツケースの隅に入れておくこともでき、スーツケース用カバーの使い勝手がよくなる。
【００２６】
請求項７に係る考案では、第１・第２帯部に、スプリングホックと面ファスナーとの両方を設けた。操作が簡単な面ファスナーで、第２帯部に第１帯部を仮止めし、操作が面ファスナーより面倒なスプリングホックで、第２帯部に第１帯部を本止めすることができる。スプリングホックが貼り付け性能を維持するため、面ファスナーは一定の汚れが許容される。
【００２７】
また、面ファスナーの貼り付け性能により、スプリングホック回りに加わる力が緩和される。
よって、本考案によれば、一対の帯部を備えているスーツケース用カバーにおいて、より好ましい帯部の連結構造が提供される。
【００２８】
請求項８に係る考案では、第１帯部と第２帯部の少なくとも一方は、伸縮性のある生地で作られている。面ファスナーで仮止めしたときに、また嵌めていないホック雌パーツとホック雄パーツとは、相互に位置ずれすることがある。生地が伸縮性に富むため、帯部を伸ばす又は縮めることで、ホック雌パーツへホックにホック雄パーツを簡単に位置合わせすることができる。
【００２９】
請求項９に係る考案では、上面部、正面部、背面部、２つの側面部、第１帯部及び第２帯部の全てが、伸縮性のある生地で作られている。請求項２の効果に加えて、スーツケース用カバーを、スーツケースにピッタリと合わせることができ、外観性が高まる。
【００３０】
請求項１０に係る考案では、ホック雌パーツは、第１帯部に複数個設けられ、ホック雄パーツも、第２帯部に複数個設けられている。複数個のホックにより、ホックに掛かる力を分散することができる。加えて、ホックを複数個にすることで、帯部の帯幅を広げることができる。
【図面の簡単な説明】
【００３１】
【図１】本考案に係るスーツケース及びスーツケース用カバーの斜視図である。
【図２】スーツケース用カバーの要部拡大図である。
【図３】図２の３−３線断面図である。
【図４】ハンガーストラップをポケットに収納した形態を説明する図である。
【図５】ポケットとハンガーストラップの作用を説明する図である。
【図６】ハンガーストラップをジッパーの中央に設けた例を説明する図である。
【図７】Ｌ字形ジッパーの使用例を説明する図である。
【図８】図３に係るフックの別態様を説明する図である。
【図９】面ファスナーの外形図である。
【図１０】スプリングホックの構造図である。
【図１１】面ファスナー及びスプリングホックの作用図である。
【図１２】従来のスーツケースカバーの形態を説明する図である。
【図１３】別の従来のスーツケースカバーの形態を説明する図である。
【考案を実施するための形態】
【００３２】
本考案の実施の形態を添付図に基づいて以下に説明する。
【実施例】
【００３３】
図１に示すように、箱形のスーツケース１６に被せるスーツケース用カバー２０は、スーツケース１６の上面１６ａを覆う上面部２１と、スーツケース１６の正面１６ｂを覆う正面部２２と、スーツケース１６の背面１６ｃを覆う背面部２３と、スーツケース１６の２つの側面１６ｄ、１６ｅを各々覆う２つの側面部２４、２５と、正面部２２の下端から延びる第１帯部２６と、背面部２３の下端から延びる第２帯部２７を有する。
この例では、伸縮式のハンドル１７に近い方の面を、スーツケースの正面１６ｂとしたが、ハンドル１７から遠い方の面（背面１６ｃ）を、スーツケースの正面１６ｂとしてもよい。
【００３４】
なお、スーツケース用カバー２０は、伸縮性のある生地（例えば、ポリエステル・ウレタン）で、スーツケース１６より小さめに制作する。被せたときに、いわゆるジャストフィットし、見栄えがよくなるからである。
【００３５】
第１帯部２６は、第１面ファスナー２８と、複数個（この例では３個）のホック雌パーツ２９とを備える。
第２帯部２７は、第２面ファスナー３１と、複数個（この例では３個）のホック雄パーツ３２とを備える。
なお、第１帯部２６にホック雄パーツ３２を備え、第２帯部２７にホック雌パーツ２９を備えてもよい。
【００３６】
正面部２２に、左右に延びるジッパー４０や星印のような特徴的な模様３３を備えている。
加えて、上面部２１と正面部２２にわたって伸縮式のハンドル１７を通す開口部３５が設けられている。開口部３５は、上面部２１のみに設けてもよい。
【００３７】
第１帯部２６の延び長さＬ１と第２帯部２７の延び長さＬ２は、作図の都合でＬ１＜Ｌ２としたが、Ｌ１＝Ｌ２を原則とする。しかし、Ｌ１、Ｌ２は任意に設定して差し支えない。
【００３８】
図２に示すように、開口部３５は開口補強材３６で補強する。開口補強材３６は、別ピースをスーツケース用カバー２０の裏面に貼り付ける（又は縫い付ける）か、開口部３５の縁を厚肉にすることで構成してもよい。この補強により、開口部３５から裂けることを防止することができる。
【００３９】
加えて、正面部２２に設けられるジッパー４０は、左右に延びるジッパー歯列４１、４２と、これらのジッパー歯列４１、４２に沿って移動しジッパー歯列４１、４２を噛み合い状態／非噛み合い状態にするスライダー４３と、このスライダー４３に設けたプーラー４４とを有する。プーラー４４は指掛け部材であり、未使用時は重力で垂れ下がる。
【００４０】
正面部２２の裏面に、横幅がジッパー４０より若干大きな袋状のポケット４６が設けられている。ポケット４６には、ジッパー４０を介して、小物を出し入れすることができる。小物は、ジッパー４０を通過し、ポケット４６に収まる大きさの物であればよく、種類は問わない。
ただし、ポケット４６が著しく膨らむと見栄えが悪くなるので、限度はある。本考案によれば、ポケット４６を著しく膨らませるような物は、後述する小袋（図６（ｂ）、符号５７）に入れることができる。
【００４１】
図３に示すように、ポケット４６内に且つジッパー歯列４１の近傍に、ハンガーストラップ４７の上端が接着（又は縫いつけ）されている。ハンガーストラップ４７は、ストラップ４８と、このストラップ４８に取り付けたフック４９とからなる。フック４９の形状は好ましくは鉤形にするが、その他の形状であってもよい。
【００４２】
ストラップ４８は帯又は紐（ひも）が好適である。帯又は紐を２つ折りすることで、先端に輪５１を作ることができる。実施例では輪５１にフック４９を取付けたが、フックなしで、輪５１に直接物品を吊してもよい。
帯又は紐を１本物として、この１本物の先端にフック４９を取付けてもよい。
【００４３】
好ましくは、開口部３５を補強する開口補強材３６から帯状の連結材５２を延ばし、この連結材５２の先端をジッパー歯列４１の近傍に接着する（又は縫いつける）。
図２にて、フック４９に下向き力が加わると、正面部２２が局部的に引っ張られ下がりことが心配される。下がると外観性が低下する。
この点、連結材５２を設けることにより、下向き力は開口補強材３６でも支持される。開口補強材３６は剛性があるため、正面部２２の局部的な下がりが解消され、外観性が良好に維持される。
【００４４】
なお、実施例では、ストラップ４８と連結材５２を別体としたが、これに限定されず、ストラップ４８と連結材５２を一体としても差し支えない。ストラップ４８と連結材５２を一体とすることで、生産が容易になるうえに、より一層強度を向上させることができる。
【００４５】
図４に示すように、非使用時は、ハンガーストラップ４７は、ポケット４６内に収めておくことができる。すなわち、使用時にのみ、ハンガーストラップ４７は、ポケット４６外へ引き出される。その他の構成要素は図４と同じであるため、図４の符号を流用し、詳細な説明は省略する。
【００４６】
以上の構成からなるスーツケース用カバー２０は、図２において、スーツケース１６に広げるように引っ張りながら被せる。スーツケース１６の底面１６ｆに第１帯部２６を沿わせ、この第１帯部２６に重ねるように第２帯部２７を底面１６ｆに沿わせる。このときに第１面ファスナー２８に第２面ファスナー３１が貼り付く。貼り付いたら、引っ張り動作を中断してもよい。次に、ホック雌パーツ２９にホック雄パーツ３２を嵌める（又は、ホック雄パーツ３２にホック雌パーツ２９を嵌める）。
【００４７】
スーツケース用カバー２０には次に述べる種々の効果が期待できる。
・スーツケース１６の保護、傷付き防止。
・傷がついたスーツケース１６のぼろ隠し。
・模様３３や色による自他識別。
・スーツケース１６の外装変更。
・スーツケース１６の防犯。キー差し込み口や番号ダイヤルが隠されているため。
・スーツケース１６が不意に開いて荷物が散乱することを防止。
・以下に述べる小物及び中物の収納。
【００４８】
図５（ａ）に示すように、ジッパー４０を開閉することで、ポケット４６に小物５４を入れることができる。この小物５４は随時取り出すことができる。なお、小物５４はポケット４６に入れることができる寸法の物であれば、種類は問わない。
【００４９】
図５（ｂ）に示すように、ポケット４６に入れにくい中物５５、例えば長い新聞紙やボトルは、取っ手５６が付いた小袋５７に入れる。そして、ハンガーストラップ４７を外へ引き出し、フック４９に取っ手５６を掛ける。小袋５７に小物５４を入れることは差し支えない。
【００５０】
すなわち、小物５４はポケット４６に入れ、中物５５はハンガーストラップ４７に吊り下げる。
本考案により、小物５４に留まらず、中物５５をも手で持たずに済むようにすることができるスーツケース用カバー２０が提供される。
なお、取っ手５６が付いた小袋５７は、売店で提供されるポリ袋等の樹脂製袋のほか、自前の布袋、バッグでもよく、種類は問わない。
【００５１】
図２では、ハンガーストラップ４７を、左右に延びるジッパー４０の一端（この例では右端）に設けたが、このことにより、連結材５２を開口補強材３６のコーナー部３６ｃ近傍に連結することができる。コーナー部３６ｃは他の部位より剛性が高い。
ただし、ハンガーストラップ４７の設置位置は、変更することができる。その例を次に説明する。
【００５２】
図６（ａ）に示すように、ハンガーストラップ４７を、左右に延びるジッパー４０の中央（略中央を含む。）に設けてもよい。この場合には、ジッパー４０に左スライダー４３Ｌと右スライダー４３Ｒを設けることが望まれる。
図６（ｂ）に示すように、ハンガーストラップ４７を引き出したときに、左スライダー４３Ｌと右スライダー４３Ｒでハンガーストラップ４７を挟むことができる。
【００５３】
１条のジッパー歯列４１、４２に左スライダー４３Ｌと右スライダー４３Ｒを備えているので、左右スライダー４３Ｌ、４３Ｒの移動距離が半分で済み、素早く左右スライダー４３Ｌ、４３Ｒを開放限位置又は閉じ位置に移動することができる。引き出されたハンガーストラップ４７がジッパー歯列４１、４２の中央にあるため、対称性が保て、外観性が高まる。
【００５４】
また、図７（ａ）に示すように、上辺４６ａ、底辺４６ｂ、左右辺４６ｃ、４６ｄからを有するポケット４６に対して、ジッパー４０は上辺４６ａと左辺４６ｃ（又は右辺４６ｄ）とに沿ったようなＬ字形にすることも推奨される。ジッパー４０長さが十分に確保できる。ジッパー４０は裏表利用可能なリバーシブルジッパーとする。
【００５５】
図７（ｂ）にて、ジッパー４０を開ける。ポケット４６を引き出す。引き出したポケット４６に、上面部２１、正面部２２、背面部２３及び２つの側面部２４、２５を詰める。ジッパー４０を閉じることにより、図７（ｃ）に示すように、ポシェットのような形にすることができる。この形であれば、スーツケース用カバー２０を、スーツケース１６内に投入することや、自宅の部屋の適当な所に置くことができる。
【００５６】
図１においても、ジッパー４０をリバーシブルジッパーとし、スーツケース用カバー２０をポシェットのような形に丸めることは差し支えない。
【００５７】
次に、本考案のフックの別態様を図面に基づいて説明する。なお、図３に示した構成と同一構成については同一符号を付け、詳細説明は省略する。
図８（ａ）に示すように、フック４９は、ストラップ４８と、このストラップ４８の基部側に設けられた基部側面ファスナー４８ａと、ストラップ４８の先端側に設けられた先端側面ファスナー４８ｂとから構成される。図８（ｂ）に示すように、先端側面ファスナー４８ｂを基部側面ファスナー４８ａに貼り付けることで、ストラップ４８が輪になりフックとして機能する。
【００５８】
ところで、従来技術の特許文献１において、面ファスナー１１７は表面に微小な凹凸がある。面ファスナー１１９も同様である。凹に相手の凸が噛み合うことで、面ファスナー１１９に面ファスナー１１７が貼り付く。スーツケース１００は屋外で使用されることが多く、スーツケース用カバー１１０で汚れを防止することができる。
【００５９】
反面、スーツケース用カバー１１０が汚れ、この汚れにより、長期間の使用の後には、面ファスナー１１７、１１９も汚れ、表面の微細な凹凸が汚れで浅くなる又は詰まることがある。
すると、面ファスナー１１７、１１９の接着力が低下し、簡単に剥がれることとなる。
すなわち、面ファスナー１１７、１１９の短所は、接着力が大きい状態と小さい状態で、外観に差がないことである。よって、面ファスナー１１７、１１９は接着性能の点で、問題が残る。
【００６０】
面ファスナーをファスナー（ジッパー）やホックに変更することを検討する。
ジッパーは、面ファスナーより汚れに強いという利点がある。反面、一対のジッパー歯列をスライダーで噛み合わせる必要があり、スライダーを直線的に移動することから、手間が面ファスナーより格段にかかる。
【００６１】
ホックは、面ファスナーより汚れに強いという利点と、ジッパーより手間が掛からないとう利点がある。反面、ホックに力が集中するため、ホック回りにおいて生地が傷むという欠点がある。
よって、一対の帯部を備えているスーツケース用カバーにおいて、より好ましい帯部の連結構造が望まれる。この要望に応える構造のスーツケース用カバー２０を次に説明する。
【００６２】
図９に示すように、第１面ファスナー２８は、第２面ファスナー３１側の面に微細な凹凸２８ａを備えている。第２面ファスナー３１は、第１面ファスナー２８側の面に微細な凹凸３１ａを備えている。凹凸２８ａに凹凸３１ａが噛み合う（絡み合う）ことで、第１面ファスナー２８と第２面ファスナー３１が互いに貼り付けられる。ただし、凹凸２８ａ、３１ａが汚れると貼り付け力が弱くなる。
【００６３】
図１０にスプリングホックの原理図を示す。スプリングホック３０は種々の構造のものが実用に供されている。
図１０に示すように、スプリングホック３０は、スプリング３８、３８を内蔵するホック雌パーツ２９と、このホック雌パーツ２９に噛み合うホック雄パーツ３２とからなる。ホック雄パーツ３２の周溝３９にスプリング３８、３８が噛み込むため、結合力は十分に大きくなる。
【００６４】
以上の構成からなるスーツケース用カバー２０は、図１において、スーツケース１６に広げるように引っ張りながら被せる。
図１１（ａ）に示すように、第１帯部２６を引っ張りながら、スーツケース１６の底面１６ｆに沿わせる。
図１１（ｂ）に示すように、第２帯部２７を引っ張りながら、スーツケース１６の底面１６ｆに沿わせる。そして、図１１（ｃ）に示すように、第１面ファスナー２８に第２面ファスナー３１を貼り付ける。
【００６５】
このとき、スプリングホック３０は、まだ、噛み合いっていない。すなわち、図１１（ｄ）に示すように、ホック雄パーツ３２は、ホック雌パーツ２９に噛み合っていない。なお、図１１（ｄ）では第１面ファスナー２８、３１は省略した。ホック雄パーツ３２の中心とホック雌パーツ２９の中心との間に多少のオフセットδが発生する。
【００６６】
第１帯部２６が伸縮性を有するときは、ホック雌パーツ２９が簡単に移動する。よって、ホック雌パーツ２９を寄せることで、オフセットを０にすることができる。
または、第２帯部２７が伸縮性を有するときは、ホック雄パーツ３２が簡単に移動する。よって、ホック雄パーツ３２を寄せることで、オフセットを０にすることができる。
オフセットが０になると、図１１（ｅ）に示すように、ホック雌パーツ２９にホック雄パーツ３２を嵌めることができる。
【００６７】
図１１（ｅ）に示すように、第１帯部２６と第２帯部２７は、スプリングホック３０と第１面ファスナー２８、３１とで連結されている。仮に、第１面ファスナー２８、３１が汚れにより貼り付け力が弱くなったとしてもスプリングホック３０で連結力を維持することができる。
【００６８】
また、第１面ファスナー２８、３１の貼り付け力が維持されれば、スプリングホック３０に加わる力が緩和されるため、ホック雌パーツ２９回りに局部的な力が掛かる心配が無く、第１帯部２６が傷む心配がない。同様に、ホック雄パーツ３２回りに局部的な力が掛かる心配が無く、第２帯部２７が傷む心配がない。
【００６９】
図１において、第１帯部２６は、３個のホック雌パーツ２９を備えている。ホック雌パーツ２９は１個、２個又は４個以上であってもよいので、個数は自由に選択できる。第２帯部２７に設けるホック雄パーツ３２は、ホック雌パーツ２９と同数であればよい。
ただし、ホック雌パーツ２９が１個である場合より、複数個（２個以上）である方が力の分散が図れて好ましい。
【００７０】
また、第１帯部２６の幅に応じて、ホック雌パーツ２９の数を決めてもよい。すなわち、第１帯部２６の幅が狭い場合には、ホック雌パーツ２９の数を１個とし、幅の増加に比例して、個数を増加するようにしてもよい。
【００７１】
また、スーツケース用カバー２０は、全体を伸縮性に富む生地で作成する他、大部分を非伸縮性の生地とし、第１・第２第１帯部２６、２７の両方又は一方を伸縮性生地にしてもよい。非伸縮性の生地であれば、防水性能が付加できるため、スーツケース用カバー２０は防水カバーを兼ねさせることができる。
【００７２】
尚、スーツケース１０は、旅行用スーツケースの他、アタッシュケース、通常のハードケースであってもよく、サイズや用途は任意である。
【００７３】
また、ハンガーストラップ４７に、小袋５７の他、マスコットやキャラクターグッツなどの物品を吊すことは差し支えない。すなわち、利用者が任意にハンガーストラップ４７の利用形態を決めることができる。
【００７４】
また、フック４９は、Ｏ環やカラビナや２本の紐であってもよい。２本の紐であれば、任意に縛ることができる。また、ベルト同士を分離自在に接続するバックルであってもよい。よって、フック４９は、要は小袋５７等を吊すことができる構造であればよく、その形態は任意であって、鉤形に限るものではない。
【００７５】
また、実施例では、連結材５２をストラップ４８と別体としたが、これに限定されず、ストラップ４８と連結材を一体としても差し支えない。この場合、ストラップ４８を開口補強材３６まで延長させ、この延長部分が連結材５２となるため、構成が簡単になる。
【産業上の利用可能性】
【００７６】
本考案は、スーツケースに被せるカバーに好適である。
【符号の説明】
【００７７】
１１...クリアケース
１６...スーツケース
１６ａ...スーツケースの上面
１６ｂ...スーツケースの正面
１６ｃ...スーツケースの背面
１６ｄ、１６ｅ...スーツケースの側面
２０...スーツケース用カバー
２１...上面部
２２...正面部
２３...背面部
２４、２５...側面部
２６...第１帯部
２７...第２帯部
２８...第１面ファスナー
２９...ホック雌パーツ
３０...スプリングホック
３１...第２面ファスナー
３２...ホック雄パーツ
３５...開口部
３６...開口補強材
４０...ジッパー
４１、４２...ジッパー歯列
４３...スライダー
４３Ｌ...左スライダー
４３Ｒ...右スライダー
４６...ポケット
４７...ハンガーストラップ
４８...ストラップ
４９...フック
５２...連結材
５４...小物
５５...中物
５７...小袋
【図１】
0003208594.tif 000003
【図２】
0003208594.tif 000004
【図３】
0003208594.tif 000005
【図４】
0003208594.tif 000006
【図５】
0003208594.tif 000007
【図６】
0003208594.tif 000008
【図７】
0003208594.tif 000009
【図８】
0003208594.tif 000010
【図９】
0003208594.tif 000011
【図１０】
0003208594.tif 000012
【図１１】
0003208594.tif 000013
【図１２】
0003208594.tif 000014
【図１３】
0003208594.tif 000015